(57)【要約】      （修正有）【課題】購入者・紹介者の双方にとって好ましい紹介システムを提供する。【解決手段】紹介ページ送信手段１４は、商品・サービスに関する一以上の紹介情報と、販売サイトへのリンクとを含む紹介ページを、購入者装置８に送信する。紹介記録手段１６は、送信した各紹介ページの紹介者を記録部１２に記録する。販売サーバ装置６は、紹介ページの紹介によって当該商品またはサービスを購入した購入者に応じて紹介者に対する売上報酬を決定し、これを売上報酬分配手段１８に送信する。売上報酬分配手段１８は、各売上に結びついた紹介ページに表示された紹介の紹介者を集計し、その比率に基づいて、各紹介者に売上報酬を分配する。【選択図】図１
2013210960.tif 000002
【特許請求の範囲】
【請求項１】
紹介者装置、仲介サーバ装置、販売サーバ装置、購入者装置を備えた紹介システムであって、
前記紹介者装置は、
商品またはサービスに関する紹介情報を前記仲介サーバ装置に送信する紹介情報送信手段と、
前記仲介サーバ装置からの売上報酬の分配情報を受信する売上報酬受信手段と、
を備え、
前記購入者装置は、
商品またはサービスを特定して、当該商品またはサービスを紹介する紹介ページの要求を前記仲介サーバ装置に送信する紹介ページ要求送信手段と、
前記紹介ページ中の前記販売サーバ装置の販売サイトへのリンクが選択されると、当該販売サイトに対して販売ページ送信要求を送信する販売ページ要求送信手段と、
を備え、
前記仲介サーバ装置は、
前記紹介者装置から受信した、商品またはサービスに関する紹介情報を紹介者とともに記録部に記録する紹介情報記録手段と、
前記購入者装置からの商品またはサービスを特定した要求を受けて、当該商品またはサービスに関する複数の紹介情報と、当該商品またはサービスを購入することのできる前記販売サーバ装置の販売サイトへのリンクとを少なくとも含む紹介ページを、前記購入者装置に送信する紹介ページ送信手段と、
前記紹介ページに表示されている複数の紹介情報に対応する各紹介者を記録する紹介記録手段と、
前記販売サイトからの売上報酬の連絡を受けて、各売上に結びついた前記紹介ページに記載された複数の紹介者の割合に基づいて、当該売上報酬を各紹介者に分配する売上報酬分配手段と、
売上報酬の分配情報を各紹介者に連絡する売上報酬連絡手段と、
を備えたことを特徴とする紹介システム。
【請求項２】
紹介者装置、販売サーバ装置、購入者装置と通信可能に構成された仲介サーバ装置であって、
紹介者装置から受信した、商品またはサービスに関する紹介情報を紹介者とともに記録部に記録する紹介情報記録手段と、
前記購入者装置からの商品またはサービスを特定した要求を受けて、当該商品またはサービスに関する複数の紹介情報と、当該商品またはサービスを購入することのできる前記販売サーバ装置の販売サイトへのリンクとを少なくとも含む紹介ページを、前記購入者装置に送信する紹介ページ送信手段と、
前記紹介ページに表示されている複数の紹介情報に対応する各紹介者を記録する紹介記録手段と、
前記販売サイトからの売上報酬の連絡を受けて、各売上に結びついた前記紹介ページに記載された複数の紹介者の割合に基づいて、当該売上報酬を各紹介者に分配する売上報酬分配手段と、
売上報酬の分配情報を各紹介者に連絡する売上報酬連絡手段と、
を備えたことを特徴とする仲介サーバ装置。
【請求項３】
紹介者装置、販売サーバ装置、購入者装置と通信可能に構成された仲介サーバ装置をコンピュータによって実現するための仲介サーバプログラムであって、
紹介者装置から受信した、商品またはサービスに関する紹介情報を紹介者とともに記録部に記録する紹介情報記録手段と、
前記購入者装置からの商品またはサービスを特定した要求を受けて、当該商品またはサービスに関する複数の紹介情報と、当該商品またはサービスを購入することのできる前記販売サーバ装置の販売サイトへのリンクとを少なくとも含む紹介ページを、前記購入者装置に送信する紹介ページ送信手段と、
前記紹介ページに表示されている複数の紹介情報に対応する各紹介者を記録する紹介記録手段と、
前記販売サイトからの売上報酬の連絡を受けて、各売上に結びついた前記紹介ページに記載された複数の紹介者の割合に基づいて、当該売上報酬を各紹介者に分配する売上報酬分配手段と、
売上報酬の分配情報を各紹介者に連絡する売上報酬連絡手段と、
をコンピュータによって実現するための仲介サーバプログラム。
【請求項４】
請求項１〜３のいずれかのシステム、装置またはプログラムにおいて、
前記売上報酬分配手段は、
前記購入者装置がアクセスしてきた際に、前回アクセス時に前記紹介ページの後にいずれのサイトを訪れたかを示すキャッシュ記録を当該購入者装置から受信するキャッシュ記録受信手段と、
当該キャッシュ記録に基づいて、当該紹介ページが売上に結びついたかどうかを判断する判断手段と、
を備えていることを特徴とするシステム、装置またはプログラム。
【請求項５】
請求項１〜４のいずれかのシステム、装置またはプログラムにおいて、
前記売上報酬分配手段は、
前記紹介ページにおける販売サイトへのリンクが選択された日時を記録する選択日時記録手段と、
前記売上報酬の連絡に含まれる売上日時と前記選択日時とに基づいて、各売上がいずれの紹介ページに結びついているかを判断する判断手段と、
を備えていることを特徴とするシステム、装置またはプログラム。
【請求項６】
請求項１〜５のいずれかのシステム、装置またはプログラムにおいて、
前記仲介サーバ装置は、
前記購入者の購入者属性を取得する購入者属性取得手段と、
前記紹介者の紹介者属性を取得する紹介者属性取得手段と、
をさらに備え、
前記紹介ページ送信手段は、前記購入者属性と前記紹介者属性とのマッチングに基づいて、前記紹介ページにいずれの紹介者による紹介情報を表示するかを選択することを特徴とするシステム、装置またはプログラム。
【請求項７】
請求項１〜５のいずれかのシステム、装置またはプログラムにおいて、
前記仲介サーバ装置は、
前記紹介者の紹介者属性を取得する紹介者属性取得手段をさらに備え、
前記紹介ページ送信手段は、商品またはサービスの属性と前記紹介者属性とのマッチングに基づいて、前記紹介ページにいずれの紹介者による紹介情報を表示するかを選択することを特徴とするシステム、装置またはプログラム。
【請求項８】
請求項１〜７のいずれかのシステム、装置またはプログラムにおいて、
前記紹介ページには、当該商品またはサービスを販売する複数の販売者サイトへのリンクと、各販売者サイトでの当該商品またはサービスの販売価格が表示されることを特徴とするシステム、装置またはプログラム。
【請求項９】
紹介者装置、仲介サーバ装置、販売サーバ装置、購入者装置による紹介方法であって、
前記紹介者装置は、
商品またはサービスに関する紹介情報を前記仲介サーバ装置に送信し、
前記仲介サーバ装置からの売上報酬の分配情報を受信し、
前記購入者装置は、
商品またはサービスを特定して、当該商品またはサービスを紹介する紹介ページの要求を前記仲介サーバ装置に送信し、
前記紹介ページ中の前記販売サーバ装置の販売サイトへのリンクが選択されると、当該販売サイトに対して販売ページ送信要求を送信し、
前記仲介サーバ装置は、
前記紹介者装置から受信した、商品またはサービスに関する紹介情報を紹介者とともに記録部に記録し、
前記購入者装置からの商品またはサービスを特定した要求を受けて、当該商品またはサービスに関する複数の紹介情報と、当該商品またはサービスを購入することのできる前記販売サーバ装置の販売サイトへのリンクとを少なくとも含む紹介ページを、前記購入者装置に送信し、
前記紹介ページに表示されている複数の紹介情報に対応する各紹介者を記録し、
前記販売サイトからの売上報酬の連絡を受けて、各売上に結びついた前記紹介ページに記載された複数の紹介者の割合に基づいて、当該売上報酬を各紹介者に分配し、
売上報酬の分配情報を各紹介者に連絡することを特徴とする紹介方法。
【発明の詳細な説明】
【技術分野】
【０００１】
この発明は、書籍などの商品やサービスを紹介するためのシステムに関するものである。
【背景技術】
【０００２】
紹介者は商品のバナー広告をウエブサイトに掲載し、需要者がこのバナー広告をクリックしたことによって商品を購入した場合、商品販売者が紹介者に対価を支払う仕組みがシステム化されている（特許文献１）。いわゆる、アフィリエイトシステムである。
【０００３】
アフィリエイトシステムにより、商品販売者の売上増が見込まれ、紹介者も利益を受けることができる。
【先行技術文献】
【特許文献】
【０００４】
【特許文献１】特開２００１−２６６００１
【発明の概要】
【発明が解決しようとする課題】
【０００５】
しかしながら、このようなアフィリエイトシステムにおいては、購入者が複数人の紹介者の紹介を参考にして商品を購入したとしても、最後に販売者へのリンクがクリックされた紹介者にのみ報酬が与えられることになり、公平ではないという問題があった。また、購入者の側からすれば、各紹介者の紹介内容を見るためには、それぞれのページにアクセスしなければならず面倒であった。
【０００６】
この発明は、上記のような問題点を解決して、紹介者・購入者の双方にとって好ましい紹介システムを提供することを目的とする。
【課題を解決するための手段】
【０００７】
(1)(2)(3)(9)この発明に係る紹介システムは、紹介者装置、仲介サーバ装置、販売サーバ装置、購入者装置を備えた紹介システムであって、
前記紹介者装置は、商品またはサービスに関する紹介情報を前記仲介サーバ装置に送信する紹介情報送信手段と、前記仲介サーバ装置からの売上報酬の分配情報を受信する売上報酬受信手段と、
前記購入者装置は、
商品またはサービスを特定して、当該商品またはサービスを紹介する紹介ページの要求を前記仲介サーバ装置に送信する紹介ページ要求送信手段と、
前記紹介ページ中の前記販売サーバ装置の販売サイトへのリンクが選択されると、当該販売サイトに対して販売ページ送信要求を送信する販売ページ要求送信手段とを備え、
前記仲介サーバ装置は、
前記紹介者装置から受信した、商品またはサービスに関する紹介情報を紹介者とともに記録部に記録する紹介情報記録手段と、前記購入者装置からの商品またはサービスを特定した要求を受けて、当該商品またはサービスに関する複数の紹介情報と、当該商品またはサービスを購入することのできる前記販売サーバ装置の販売サイトへのリンクとを少なくとも含む紹介ページを、前記購入者装置に送信する紹介ページ送信手段と、前記紹介ページに表示されている複数の紹介情報に対応する各紹介者を記録する紹介記録手段と、前記販売サイトからの売上報酬の連絡を受けて、各売上に結びついた前記紹介ページに記載された複数の紹介者の割合に基づいて、当該売上報酬を各紹介者に分配する売上報酬分配手段と、売上報酬の分配情報を各紹介者に連絡する売上報酬連絡手段とを備えたことを特徴としている。
【０００８】
したがって、購入者に対して適切な紹介情報を提供できるとともに、紹介者に対する売上の配分を公平化することができる。
【０００９】
(4)この発明に係る紹介システムの売上報酬分配手段は、購入者装置がアクセスしてきた際に、前回アクセス時に前記紹介ページの後にいずれのサイトを訪れたかを示すキャッシュ記録を当該購入者装置から受信するキャッシュ記録受信手段と、当該キャッシュ記録に基づいて、当該紹介ページが売上に結びついたかどうかを判断する判断手段とを備えていることを特徴としている。
【００１０】
したがって、紹介ページが売上に結びついたかどうかを適切に判断することができる。
【００１１】
(5)この発明に係る紹介システムは、売上報酬分配手段が、紹介ページにおける販売サイトへのリンクが選択された日時を記録する選択日時記録手段と、前記売上報酬の連絡に含まれる売上日時と前記選択日時とに基づいて、各売上がいずれの紹介ページに結びついているかを判断する判断手段とを備えていることを特徴としている。
【００１２】
したがって、紹介ページが売上に結びついたかどうかを適切に判断することができる。
【００１３】
(6)この発明に係る紹介システムは、仲介サーバ装置が、前記購入者の購入者属性を取得する購入者属性取得手段と、前記紹介者の紹介者属性を取得する紹介者属性取得手段とをさらに備え、前記紹介ページ送信手段は、前記購入者属性と前記紹介者属性とのマッチングに基づいて、前記紹介ページにいずれの紹介者による紹介情報を表示するかを選択することを特徴としている。
【００１４】
したがって、購入者と属性の似た紹介者の紹介を示すことができる。
【００１５】
(7)この発明に係る紹介システムは、仲介サーバ装置が、前記紹介者の紹介者属性を取得する紹介者属性取得手段をさらに備え、前記紹介ページ送信手段は、商品またはサービスの属性と前記紹介者属性とのマッチングに基づいて、前記紹介ページにいずれの紹介者による紹介情報を表示するかを選択することを特徴としている。
【００１６】
したがって、商品・サービスの属性に合致した属性を持つ紹介者の紹介を示すことができる。
【００１７】
(8)この発明に係る紹介システムは、紹介ページには、当該商品またはサービスを販売する複数の販売者サイトへのリンクと、各販売者サイトでの当該商品またはサービスの販売価格が表示されることを特徴としている。
【００１８】
したがって、購入者は各販売者での販売価格を比較して購入することができる。
【００１９】
「紹介情報送信手段」は、実施形態においては、図４のステップＳ２がこれに対応する。
【００２０】
「売上報酬受信手段」は、実施形態においては、図７のステップＳ３がこれに対応する。
【００２１】
「紹介ページ要求送信手段」は、実施形態においては、図５ａのステップＳ１０１がこれに対応する。
【００２２】
「販売ページ要求送信手段」は、実施形態においては、図５ｂのステップＳ１０３がこれに対応する。
【００２３】
「紹介情報記録手段」は、実施形態においては、図４のステップＳ１２がこれに対応する。
【００２４】
「紹介ページ送信手段」は、実施形態においては、図５ａのステップＳ１６が
これに対応する。
【００２５】
「紹介記録手段」は、実施形態においては、図５ａのステップＳ１７がこれに対応する。
【００２６】
「売上報酬分配手段」は、実施形態においては、図７のステップＳ２２がこれに対応する。
【００２７】
「売上報酬連絡手段」は、実施形態においては、図７のステップＳ２３がこれに対応する。
【００２８】
「プログラム」とは、ＣＰＵにより直接実行可能なプログラムだけでなく、ソース形式のプログラム、圧縮処理がされたプログラム、暗号化されたプログラム等を含む概念である。
【図面の簡単な説明】
【００２９】
【図１】この発明の一実施形態による紹介システムの全体構成である。
【図２】仲介サーバ装置４のハードウエア構成である。
【図３】紹介者装置２のハードウエア構成である。
【図４】紹介プログラムのフローチャートである。
【図５ａ】紹介プログラムのフローチャートである。
【図５ｂ】紹介プログラムのフローチャートである。
【図６】紹介プログラムのフローチャートである。
【図７】紹介プログラムのフローチャートである。
【図８】ユーザ属性テーブルの例である。
【図９】紹介情報テーブルの例である。
【図１０】購入者属性の例である。
【図１１】マッチング処理を示すための図である。
【図１２】紹介ページの例である。
【図１３】紹介テーブルの例である。
【図１４】抽出された紹介ページの例である。
【発明を実施するための形態】
【００３０】
１．システムの全体構成
図１に、この発明の一実施形態による紹介システムを示す。この紹介システムは、紹介者装置２、仲介サーバ装置４、販売サーバ装置６、購入者装置８を備えている。
【００３１】
仲介サーバ装置４の紹介情報記録手段１０は、紹介者装置２から、商品またはサービスに関する紹介情報を受けて、紹介者とともに記録部１２に記録する。
【００３２】
購入者装置８は、商品またはサービスの紹介ページの送信を、紹介ページ送信手段１４に要求する。これを受けて、紹介ページ送信手段１４は、当該商品サービスに関する一以上の紹介情報と、当該商品またはサービスを販売する販売サーバ装置６の販売サイトへのリンクとを含む紹介ページを、購入者装置８に送信する。紹介記録手段１６は、送信した各紹介ページの紹介者を記録部１２に記録する。
【００３３】
販売サーバ装置６は、紹介ページの紹介によって当該商品またはサービスを購入した購入者に応じて紹介者に対する売上報酬を決定し、これを売上報酬分配手段１８に送信する。売上報酬分配手段１８は、各売上に結びついた紹介ページに表示された紹介の紹介者を集計し、その比率に基づいて、各紹介者に売上報酬を分配する。売上報酬連絡手段２０は、分配された売上報酬を各紹介者の紹介者装置２に送信する。
【００３４】
以上のようにして、紹介者が、自らのサイトから販売サイトに対するリンクを設ける必要なく、売上報酬を得ることができる。また、販売サーバ装置６も、多くの紹介者に対する売上報酬に関する処理を、仲介サーバ装置４に対してのみ行うだけで実現でき、煩雑さを解消することができる。
【００３５】
２．ハードウエア構成
図２に、この発明の一実施形態による仲介サーバ装置４のハードウエア構成を示す。
【００３６】
ＣＰＵ２２には、メモリ２４、ＣＤ−ＲＯＭドライブ２６、ハードディスク２８、通信回路３０が接続されている。通信回路３０は、インターネットに接続するためのものである。ハードディスク２８には、WINDOWS（商標）などのオペレーティングシステム（ＯＳ）３４、仲介サーバプログラム３６が記録されている。仲介サーバプログラム３６は、ＯＳ３４と協働してその機能を発揮するものである。また、ＯＳ３４、仲介サーバプログラム３６は、ＣＤ−ＲＯＭ３２に記録されていたものを、ＣＤ−ＲＯＭドライブ２６を介して、ハードディスク２８にインストールしたものである。
【００３７】
販売サーバ装置６の構成も同様である。ただし、ハードディスク２８には、仲介サーバプログラムに代えて、販売サーバプログラムが記録される。
【００３８】
図３に、紹介者装置２のハードウエア構成を示す。ＣＰＵ４２には、メモリ４４、キーボード／マウス５２、ディスプレイ５４、ＣＤ−ＲＯＭドライブ４６、ハードディスク４８、通信回路５０が接続されている。通信回路５０は、インターネットに接続するためのものである。
【００３９】
ハードディスク４８には、WINDOWS（商標）などのオペレーティングシステム（ＯＳ）５８、ブラウザプログラム６０が記録されている。ブラウザプログラム６０は、ＯＳ５８と協働してその機能を発揮するものである。また、ＯＳ５８、ブラウザプログラム６０は、ＣＤ−ＲＯＭ５６に記録されていたものを、ＣＤ−ＲＯＭドライブ４６を介して、ハードディスク４８にインストールしたものである。購入者装置８のハードウエア構成も同様である。
【００４０】
３．紹介処理
図４〜図７に、紹介者装置２のブラウザプログラム６０、仲介サーバ装置４の仲介サーバプログラム３６、販売サーバ装置６の販売サーバプログラム、購入者装置８のブラウザプログラムのフローチャートを示す。
【００４１】
3.1紹介情報の登録
図４は、紹介者が紹介情報を登録する際のフローチャートである。まず、紹介者は、紹介者装置２を操作して、仲介サーバ装置４にアクセスする。この時、仲介サーバ装置４は、ユーザＩＤおよびパスワードにより認証を行う。これにより、仲介サーバ装置４は、予め属性などが登録されているユーザとして紹介者を認識する。
【００４２】
図８に、ユーザ属性テーブルの例を示す。この実施形態では、最初のユーザ登録時に、紹介者自身が属性を入力しこれを記録するようにしている。しかし、紹介者のメールアドレスなどに基づいて、フェイスブック（商標）、ツイッター（商標）などから属性を取得して記録するようにしてもよい。
【００４３】
次に、紹介者装置２のＣＰＵ４２（以下、紹介者装置２と表記する場合がある）は、仲介サーバ装置４に対して、特定の商品・サービスの紹介ページの送信を要求する（ステップＳ１）。これを受けて、仲介サーバ装置４のＣＰＵ２２（以下、仲介サーバ装置４と表記する場合がある）は、求められた商品・サービスの紹介ページを生成して返信する（ステップＳ１１）。なお、仲介サーバ装置４から商品・サービスの一覧を送信し、紹介者装置２において選択することによって、商品・サービスを特定するようにしてもよい。
【００４４】
紹介者装置２は、当該商品・サービスの紹介ページを表示する（ステップＳ２）。紹介者が、キーボード／マウス５２を操作して、当該商品・サービスの紹介情報を入力し、送信ボタンをクリックすると、紹介情報が紹介者ＩＤ、商品・サービスＩＤとともに仲介サーバ装置４に送信される（ステップＳ２）。
【００４５】
仲介サーバ装置４は、受信した紹介情報を、紹介者ＩＤ、商品・サービスＩＤとともにハードディスク２８に記録する（ステップＳ１２）。図９に、ハードディスク２８に記録された紹介情報テーブルの例を示す。
【００４６】
3.2紹介処理
図５ａ、図５ｂに、紹介処理のフローチャートを示す。購入者は、購入者装置８を操作し、仲介サーバ装置４にアクセスする。この時、仲介サーバ装置４は、ユーザＩＤおよびパスワードにより購入者の認証を行う。これにより、仲介サーバ装置４は、予め属性などが登録されているユーザとして購入者を認識する（図８のユーザ属性テーブル参照）。
【００４７】
次に、仲介サーバ装置４は、購入者装置８のブラウザプログラム６０のキャッシュ記録を参照して、紹介者確定処理を実行する（ステップＳ１３）。この紹介者確定処理の詳細については、後ほど詳しく述べる。
【００４８】
次に、購入者装置８のＣＰＵ４２（以下、購入者装置８と表記する場合がある）は、特定の商品・サービスについての紹介ページを要求する（ステップＳ１０１）。なお、仲介サーバ装置４から商品・サービスの一覧を送信し、購入者装置８において選択することによって、商品・サービスを特定するようにしてもよい。
【００４９】
続いて、仲介サーバ装置４は、購入者の属性を図８のユーザ属性テーブルから取得する（ステップＳ１４）。購入者の属性が図１０に示すようなものであったとする。
【００５０】
次に、仲介サーバ装置４は、購入者属性にマッチする属性を有する紹介者を取得する（ステップＳ１５）。マッチング処理の一例を、図１１に示す。この実施形態では、「性別」「年齢」「所属企業」「職種」「居住地」「出身地」「出身大学」・・・などの合致数によってマッチングの度合いを算出している。なお、「性別」「年齢」「所属企業」「職種」が合致した場合には、ポイントを２倍にしている。
【００５１】
図１１において、１行目は購入者（ユーザＩＤ：Ｒ１９）の属性であり、２行目以下はユーザテーブルに記録されているユーザの内、当該商品・サービスについて紹介情報を登録したことのあるユーザである。紹介情報の登録の有無は、フラグ（図示せず）によって判断することができる。
【００５２】
図１１においては、ユーザＩＤ「Ｒ９」の紹介者のマッチングポイントが最も高く「１３」点である。二番目がユーザＩＤ「Ｒ６」の「８」点、三番目がユーザＩＤ「Ｒ１」の「７」点である。仲介サーバ装置４は、マッチングポイントの高い紹介者から所定数（この実施形態では３名）を選択する。
【００５３】
続いて、仲介サーバ装置４は、特定された商品・サービスＩＤ、選択された紹介者のユーザＩＤ、紹介情報テーブル、販売サイト情報に基づいて、紹介ページを生成する（ステップＳ１６）。つまり、選択された紹介者による、当該商品・サービスについての紹介情報を選択し、紹介ページを生成する。仲介サーバ装置４は、これを購入者装置８に送信する。また、この際、商品・サービスＩＤに対応づけて記録された商品情報（たとえば、書誌的事項）も用いる。さらに、各販売サイトへのリンクだけでなく、予め調査して記録した価格も合わせて表示するようにする。価格調査は、販売サイトを巡回して、当該商品・サービスの価格を取得する。
【００５４】
購入者装置８では、これをディスプレイ５４において表示する（ステップＳ１０２）。図１２に、購入者装置８に表示された紹介ページの例を示す。上部８２には、主として書籍の書誌的事項が記載される。また、上部８２の右側には、販売店へのリンクと当該商品価格のリスト８０が表示されている。下部８４には、紹介者の氏名と紹介情報が表示されている。
【００５５】
一方、仲介サーバ装置４は、ステップＳ１６において送信した紹介ページにおける商品・サービスおよび紹介者を記録する（ステップＳ１７）。図１３に、このようにしてハードディスク２８に記録された紹介テーブルの例を示す。
【００５６】
購入者装置８を操作する購入者は、図１２の紹介画面における紹介情報を読んで、この商品を購入するかどうかを決定する。また、購入の際に、リスト８０にて価格を確認し、いずれの書店から購入するかを決定する。購入者は、マウス／キーボード５２を操作して、リスト８０における書店へのリンクをクリックする（ステップＳ１０３）。これにより、当該書籍の商品ＩＤ、購入者のユーザＩＤ、仲介サーバ装置４のＩＤなどが販売サーバ装置６に送信される。なお、仲介サーバ装置４のＩＤは、前記リンクの中にパラメータとして埋め込まれている。
【００５７】
販売サーバ装置６のＣＰＵ４２（以下、販売サーバ装置６と表示することがある）は、これを受けて、当該書籍の販売ページを購入者装置８に送信する（ステップＳ２０１）。購入者装置８は、この販売ページを表示する。購入者は、マウス／キーボード５２を操作して、当該書籍の購入ボタンをクリックする（ステップＳ１０４）。これにより、当該書籍の購入要求が、販売サーバ装置６に送信される。販売サーバ装置６は、これを受けて、課金処理などの販売処理を行う（ステップＳ２０２）。以上のようにして、紹介処理が行われ、紹介者が紹介テーブルに記録される。
【００５８】
図６に、図５ａのステップＳ１３において実行される紹介者確定処理の詳細を示す。紹介者確定処理の重要部分は仲介サーバ装置４が行うので、図５ａにおいては、仲介サーバ装置４のみの処理として示している。しかし、この処理は購入者装置８が仲介サーバ装置４にアクセスしたときに行われる。
【００５９】
購入者装置８は、まず、仲介サーバ装置４にアクセスし、認証画面を要求する（ステップ１０５）。これに応じて、仲介サーバ装置４は、認証画面を送信する（ステップＳ１８）。購入者装置８は、認証画面を表示する。購入者は、マウス／キーボード５２を操作して、ユーザＩＤ、パスワードを入力し送信する（ステップＳ１０６）。
【００６０】
仲介サーバ装置４は、これにより認証を行い、当該ユーザを購入者として認識する。続いて、仲介サーバ装置４は、購入者装置８に対し、ブラウザプログラム６０のキャッシュ情報を送信するように要求する（ステップＳ１９）。これを受けて、購入者装置８は、当該キャッシュ情報を返信する（ステップＳ１０７）。このキャッシュ情報には、購入者が過去の所定期間にアクセスしたサイトのＵＲＬが記録されている。
【００６１】
キャッシュ情報を受け取った仲介サーバ装置４は、このキャッシュ情報を参照して、図１３の紹介テーブルに記録された紹介ページの内、販売に結びついたものを抽出する（ステップＳ２０）。その処理は以下のとおりである。
【００６２】
まず、キャッシュ情報中から、紹介ページのＵＲＬを探し出す。見いだされれば、当該ページの商品・サービスＩＤを取得する。仲介サーバ装置４のハードディスク２８には、紹介ページのＵＲＬと商品・サービスＩＤとの関連を記録したテーブル（図示せず）が記録されているので、これを用いて商品・サービスＩＤを取得する。
【００６３】
続いて、当該商品・サービスＩＤに関する紹介ページのうち、現在アクセスしてきているユーザが購入者となっているものを抽出する。たとえば、商品・サービスＩＤが「２３１００１」であり、ユーザが「Ｒ１１５」であれば、図１３の紹介テーブル中の２行目のデータが抽出されることになる。
【００６４】
次に、キャッシュ情報中の前記紹介ページのＵＲＬからの遷移をたどり、仲介サーバ装置４、販売サーバ装置６（およびこれらに関連する予め登録されたサーバ装置）以外のＵＲＬが現れるまでの履歴情報を抽出する。この履歴情報中に、前記商品・サービスＩＤの購入確認ページ（つまり、購入意思の確認完了を求めるページ）のＵＲＬが含まれているかどうかを判断する。なお、購入確認ページのＵＲＬについては、予めハードディスク２８に記録しておくことが可能である。
【００６５】
抽出した履歴情報中に、前記商品・サービスＩＤの購入確認ページが含まれていれば、これを販売に結びついた紹介ページとして抽出する。具体的には、図１３の紹介テーブルにおいて、当該紹介ページのフラグを「１」に書き換える。また、抽出した履歴情報中に、前記商品・サービスＩＤの購入確認ページが含まれていなければ、フラグの書き換えは行わない。したがって「０」のままとなる。
【００６６】
以上のようにして、ユーザのアクセス時に、いずれの紹介ページが売上に結びついたかを記録することができる。
【００６７】
3.3売上報酬分配処理
図７に、売上報酬の分配処理のフローチャートを示す。まず、販売サーバ装置６は、売上に結びついたリンク元の情報に基づいて、商品・サービスの売上の一部（たとえば数％）を売上報酬として、リンク元のページの運営者（ここでは、仲介サーバ装置の運営者）にその金額と売上情報を連絡する（ステップ
Ｓ２０３）。売上情報には、商品・サービスＩＤ、購入日時、報酬金額などが示されている。
【００６８】
仲介サーバ装置４は、紹介テーブルのフラグが「１」である紹介ページを取得する（ステップＳ２１）。続いて、これを商品・サービスＩＤごとに、紹介者が何回含まれているかを算出し、割合を計算する。
【００６９】
たとえば、図１４に示すように、商品・サービスＩＤが「１２９１３６」の商品・サービスについて、フラグが「１」の紹介ページが３つ抽出されたとする。仲介サーバ装置４は、各紹介者の登場回数を計数する。紹介者「Ｒ９」は３回、紹介者「Ｒ１」は２回、紹介者「Ｒ２」「Ｒ３」「Ｒ６」「Ｒ１０」はそれぞれ１回である。したがって、紹介者「Ｒ９」は３３％、紹介者「Ｒ１」は２２％、紹介者「Ｒ２」「Ｒ３」「Ｒ６」「Ｒ１０」は、それぞれ１１％の割合である。
【００７０】
次に、仲介サーバ装置４は、受け取った売上情報に基づいて、商品・サービスＩＤごとに報酬金額を算出する。この商品・サービスＩＤごとの報酬金額を、当該商品・サービスの売上げに結びついた全ての紹介ページの紹介者割合にて分配する（ステップＳ２２）。
【００７１】
たとえば、上記の例において、商品・サービスＩＤが「１２９１３６」の商品・サービスについての報酬金額が１万円であるとすれば、これを紹介者「Ｒ９」は３３％、紹介者「Ｒ１」は２２％、紹介者「Ｒ２」「Ｒ３」「Ｒ６」「Ｒ１０」は、それぞれ１１％の割合にて分配する。つまり、紹介者「Ｒ９」は３３００円、紹介者「Ｒ１」は２２００円、紹介者「Ｒ２」「Ｒ３」「Ｒ６」「Ｒ１０」は、それぞれ１１００円として分配を行う。
【００７２】
このようにして分配した報酬金額を、全ての商品・サービスについて、各紹介者毎に集計し、それぞれの紹介者装置２に送信する（ステップＳ２３）。これにより、紹介者装置２は、売上報酬を表示することができる（ステップＳ３）。
【００７３】
４．その他の実施形態
(1)上記実施形態では、購入者の属性にマッチングする属性を有する紹介者を選択して紹介ページを構成した。このマッチングのための属性として、上記実施形態では、性別、年齢、職種、出身地、家族などの情報を用いている。しかし、その他の属性を用いることもできる。たとえば、同じ本を読んでいるかどうかの合致度、読んだ本のタイトルに用いられている言葉の合致度、読んだ本の出版社、著者、ジャンル、価格、頁数・文字数、脚本化・ドラマ化などの合致度を用いて、紹介者を選択するようにしてもよい。この際、購入者Ｙと紹介者Ｒの合致度は、以下のように算出することができる。
【００７４】
同じ本を読んでいるかどうかの合致度＝
ＹとＲが同じ本を読んでいる数／紹介者Ｒの全読書数
その他の合致度についても同様である。
【００７５】
(2)さらに、仲介サーバ装置４は、次のように購入者と紹介者の最近の行動履歴を属性としてマッチングを行うようにしてもよい。
【００７６】
購入者Ｙの最近（所定日（たとえば１０日）前まで）の検索ワード（たとえば、googleの検索履歴から取得する）、ツイッターでの最近のつぶやき、最近読んだ本のタイトル・著者・ジャンル（電子書籍購入履歴などから取得する）などを取得し、その形態素を解析して、キーワードを抽出する。
【００７７】
紹介者Ｒの紹介情報全てについて、形態素解析を行いキーワードを抽出する（紹介者が最近読んだ本のタイトル・著者・ジャンルからキーワードを抽出してもよい）。
【００７８】
上記、購入者Ｙと紹介者Ｒのキーワードのマッチング度合いを算出し、マッチング度合いの高い紹介者を選択する。
【００７９】
(3)上記実施形態では、購入者の属性にマッチングする属性を有する紹介者を選択して紹介ページを構成した。しかし、商品・サービスの属性にマッチングする属性を有する紹介者を選択して紹介ページを構築するようにしてもよい。
【００８０】
また、購入者の属性および商品・サービスの属性と、紹介者の属性とのマッチングにより、紹介者を選択するようにしてもよい。
【００８１】
(4)上記実施形態では、１台の仲介サーバ装置４が、紹介情報の登録、紹介処理、売上報酬の分配処理を行うようにしている。しかし、仲介サーバ装置４を複数台で構成し、上記の各処理を分担して実行するようにしてもよい。
【００８２】
(5)上記実施形態では、売上報酬の分配において、紹介者の登場割合にて分配率を算出した。この際に、合致度の高い紹介者ほどウエイトを高くして分配率を算出するようにしてもよい。
【００８３】
(6)上記実施形態では、いずれの紹介ページが売上に結びついたかを、ブラウザのキャッシュ履歴によって判断するようにしている。しかし、これに加えて、あるいはこれに代えて、紹介ページにおける販売サイトへのリンクをクリックした時刻に基づいて、判断するようにしてもよい。
【００８４】
このクリック時刻と、販売サーバ装置６から送られてくる売上情報に含まれる販売時刻とが近接していれば、当該紹介ページが売上に結びついたと判断することができる。
【００８５】
なお、仲介サーバ装置４において、販売サイトへのリンクのクリック時刻を取得するためには次のようにするとよい。図５ｂのステップＳ１０３においてリンクがクリックされると、一旦、仲介サーバ装置４に要求が来るようにリンク内容を記述しておく。これにより、リンクをクリックした時刻を知ることができる。その後、自動的に、リダイレクトなどによって、販売サーバ装置６に接続するようにする。
【００８６】
(7)上記実施形態では、いわゆるアフィリエイトによる売上報酬を分配するシステムとして構築している。しかし、ページ全体に対して売上報酬が与えられ、そのページに記載している紹介者に売上報酬を分配するような場合すべてに適用することができる。たとえば、ページに広告が表示されこれに対して報酬が与えられる場合に適用することができる。
【００８７】
(8)上記実施形態では、販売サイトへのリンクは複数設けているが、１つだけであってもよい。また、紹介者を複数表示するようにしているが、１人だけの紹介者を表示するようにしてもよい。
【００８８】
(9)上記実施形態では、マッチング度の高い順に紹介者を表示するようにしている。しかし、マッチングによって所定数の紹介者を選択した後（あるいは全ての紹介者を対象として）、当該紹介情報に対して他のユーザから「いいね」ボタンがクリックされた数の多い順に紹介者を表示するようにしてもよい。あるいは、紹介情報の一部のみを表示し、「続き」ボタンのクリックにて全文を表示するようにしておき、当該「続き」ボタンのクリック数の多い順に紹介者を表示するようにしてもよい。
【００８９】
(10)上記実施形態では、書籍を例として説明したが、その他の商品・サービスについても適用することができる。
【図１】
2013210960.tif 000003
【図２】
2013210960.tif 000004
【図３】
2013210960.tif 000005
【図４】
2013210960.tif 000006
【図５ａ】
2013210960.tif 000007
【図５ｂ】
2013210960.tif 000008
【図６】
2013210960.tif 000009
【図７】
2013210960.tif 000010
【図８】
2013210960.tif 000011
【図９】
2013210960.tif 000012
【図１０】
2013210960.tif 000013
【図１１】
2013210960.tif 000014
【図１２】
2013210960.tif 000015
【図１３】
2013210960.tif 000016
【図１４】
2013210960.tif 000017